(57)【要約】【課題】膨張タンクに不活性ガスを加圧封入することなく、媒体にヘッド圧力を加えることのできる熱板温度制御装置を提供することを目的とする。【解決手段】ホットプレスの熱板１４を温調するための媒体を加熱または冷却する熱板温度制御装置１において、前記熱板１４を含む媒体回路中に前記熱媒を充満させるための膨張タンク８に、エア供給装置１３と排気管９とを設けた。そして、前記エア供給装置１３は、空圧源１０の空圧を減圧する圧力調整弁１１と、減圧された空気の量を調整する流量調整弁１２とからなる。【選択図】図１
2005254313.tif 000002
【特許請求の範囲】
【請求項１】
ホットプレスの熱板を温調するための媒体を加熱または冷却する熱板温度制御装置において、
前記熱板を含む媒体回路中に前記熱媒を充満させるための膨張タンクに、エア供給装置と排気管とを設けたことを特徴とするホットプレスの熱板温度制御装置。
【請求項２】
前記エア供給装置は、空圧源の空圧を減圧する圧力調整弁と、減圧された空気の量を調整する流量調整弁とからなる請求項１に記載のホットプレスの熱板温度制御装置。
【発明の詳細な説明】
【技術分野】
【０００１】
本発明は、ホットプレスの熱板を温調するための媒体を加熱または冷却する熱板温度制御装置に関するものである。
【背景技術】
【０００２】
ホットプレスの熱板を温調するための媒体を加熱または冷却する熱板温度制御装置は、特許文献１ないし３に記載されるように、膨張タンクを備えている。膨張タンクはその機能上熱板より上方に設けられる必要があり、熱板を多数段設けた設置高さの高いホットプレスにおいては、膨張タンクの配設が困難である。この問題を解決する手段として、特許文献１ないし３に記載されるように、膨張タンクに窒素ガス等の不活性ガスを封入して媒体を加圧することが実施されている。
【０００３】
しかしながら、膨張タンクに不活性ガスを加圧封入することには、圧力容器の法規制があり、その管理には様々な費用と労力を必要とする。
【０００４】
【特許文献１】特公平４−２４０９号公報（第２頁、第１図）
【特許文献２】特許第２５７１１３９号公報（第２頁、第１図）
【特許文献３】特開２００３−２０５３９９号公報（段落００１２、段落００４１）
【発明の開示】
【発明が解決しようとする課題】
【０００５】
本発明は、上記の課題を解決すべくなされたものであり、膨張タンクに不活性ガスを加圧封入することなく、媒体にヘッド圧力を加えることのできる熱板温度制御装置を提供することを目的とする。
【課題を解決するための手段】
【０００６】
すなわち本発明は、ホットプレスの熱板を温調するための媒体を加熱または冷却する熱板温度制御装置において、前記熱板を含む媒体回路中に前記熱媒を充満させるための膨張タンクに、エア供給装置と排気管とを設けたホットプレスの熱板温度制御装置に係る。
【発明の効果】
【０００７】
本発明は、ホットプレスの熱板を温調するための媒体を加熱または冷却する熱板温度制御装置において、前記熱板を含む媒体回路中に前記熱媒を充満させるための膨張タンクに、エア供給装置と排気管とを設けたので、多大な費用と労力なしに媒体にヘッド圧力を加えることができ、膨張タンクを比較的低い位置に配設できるとともに、媒体の温度をより高い温度まで加熱することができる。
【発明を実施するための最良の形態】
【０００８】
図面に基づいて本発明の実施の形態を詳細に説明する。図１は、本発明の熱板温度制御装置の媒体回路と膨張タンクの加圧機構を説明するブロック図である。
【０００９】
図１に示すように、熱板温度制御装置１は、プリント配線基板等を積層成形するホットプレスに多数段対向させて配設される熱板１４を４００℃前後まで加熱するための熱媒を、加熱または冷却して温度制御する装置である。熱板温度制御装置１のニュートラル時には、供給ポンプ４から吐出された媒体は、熱板１４に穿孔された複数の穿孔穴を流通して熱板１４を経由し、冷却三方弁６のＡＢポートからＢポートへ流通して循環する。また、循環ポンプ３が吐出した媒体は、温度センサ１５で温度が検出され、図示しない制御装置によりヒータ２で所定温度となるように通電制御されて加熱三方弁５のＡＢポートからＢポートへ流通して循環する。制御装置から加熱の指令が出たときには、媒体は温度センサ１５の検出温度に基づいて（熱板１４の近傍の管路に設けた図示しない温度センサに基づくこともある。）、加熱三方弁５のＡＢポートからＡポートへ流量が制御されて流通し、その媒体は供給ポンプ４により熱板１４に供給されて熱板１４を加熱する。このとき、冷却三方弁６はＡＢポートからＢポートへ切り換えられたままであるから、ヒータ２で加熱された媒体は、循環ポンプ３と供給ポンプ４との接続管路部で平衡を保ちながら、略全量が熱板１４に供給される。
【００１０】
一方、制御装置から冷却の指令が出たときには、加熱三方弁５はＡＢポートからＢポートへ流通するように切り換えられる。そして、媒体は温度センサ１５の検出温度に基づいて（熱板１４の近傍の管路に設けた図示しない温度センサに基づくこともある。）、冷却三方弁６のＡＢポートからＡポートへ流量が制御されて流通し、その媒体は冷却器７で冷却された後、供給ポンプ４により熱板１４へ供給されて熱板１４を冷却する。
【００１１】
上記のような熱板１４を含めた媒体回路に媒体が常に満たされているようにするため、全ての機器の上方となる位置に、媒体回路に連通した膨張タンク８が配設される。膨張タンク８は、媒体の熱膨張による増量分を吸収した場合であっても、その上部に空間が残るような容積を有する。そして、膨張タンク８の最上部には、前記空間から大気に連通する排気管９が設けられる。さらに、膨張タンク８最上部の排気管９から離隔した位置には、エア供給装置１３が設けられる。
【００１２】
エア供給装置１３は、０．３〜０．４Ｍｐａの空圧源１０からのエアを０．０２Ｍｐａ程度に減圧する圧力調整弁１１と、圧力調整弁１１から膨張タンク８への管路に分岐して設けられる流量調整弁１２とからなる。エア供給装置１３から膨張タンク８へ供給されたエアは、膨張タンク８の上部空間を経由して排気管９から大気へ放出される。このとき、排気管９はその通路が絞られているので、エアは圧力調整弁１１で減圧された所定の圧力を保つのである。そして、この空圧が媒体の液面を押圧するので、媒体にはヘッド圧力が発生する。そのため、膨張タンク８は、空圧０．０２Ｍｐａが高さ２０００ｍｍに相当するので、空圧に応じてより低い位置に配設可能となり、熱板温度制御装置１の高さを低くすることができる。
【００１３】
また、熱媒が加圧されることにより熱媒の蒸気圧が上昇して、より高い温度での熱板の温度制御が可能となるとともに、熱媒が気化しないので循環ポンプ３や供給ポンプ４にキャビティーションが発生せずポンプの寿命が延びる。なお、空圧を０．０２Ｍｐａ高くしたことにより、熱媒の蓄熱温度を通常の最高温度より１０℃高くすることが可能となった。
【００１４】
この発明は以上説明した実施例に限定されるものではなく、発明の趣旨を逸脱しない範囲内において種々の変更を付加して実施することができる。
【図面の簡単な説明】
【００１５】
【図１】本発明の熱板温度制御装置の媒体回路と膨張タンクの加圧機構を説明するブロック図である。
【符号の説明】
【００１６】
１    熱板温度制御装置
２    ヒータ
３    循環ポンプ
４    供給ポンプ
５    加熱三方弁
６    冷却三方弁
７    冷却器
８    膨張タンク
９    排気管
１０  空圧源
１１  圧力調整弁
１２  流量調整弁
１３  エア供給装置
１４  熱板
１５  温度センサ
【図１】
2005254313.tif 000003